Podtech/llm-jp-corpus-v4-ja_patent huggingface dataset:
【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
家庭用美容ボディコントワリング装置であって、
揺動キャリアを含むヘッドと、
前記ヘッドに一体的に取り付けられた保持容易なハンドルと、
少なくとも一つの曲線ＲＦ電極と
を含む装置。
【請求項２】
前記電極はＳ字形状である請求項１に記載の装置。
【請求項３】
前記揺動キャリアはまた、振動機械エネルギーを適用するべく動作可能である請求項１に記載の装置。
【請求項４】
発光ダイオード（ＬＥＤ）、レーザ、強パルス光（ＩＰＬ）及び赤外（ＩＲ）エネルギー放射器を含む光エネルギー放射素子群から選択された少なくとも一つの光エネルギー放射素子を含む請求項１に記載の装置。
【請求項５】
さらに電源、起動ボタン、コントローラ及び電子回路を含み、
電源が充電可能バッテリ及び外部ＡＣ又はＤＣ電源の少なくとも一つである請求項１に記載の装置。
【請求項６】
前記ヘッドはさらに、
前記ハンドルに一体的に取り付けられたベースと、
床とリムを有するリング状壁とによって画定されて前記揺動キャリアを回転動作可能に収容する中心配置のボアと
を含む請求項１に記載の装置。
【請求項７】
前記ヘッドはさらに、剛体の、伸縮自在の又は可撓性の少なくとも一つである回転可能駆動器を介して前記揺動キャリアに取り付けられたモータを含む請求項１に記載の装置。
【請求項８】
前記ヘッドはさらに、温度センサ、サーモパイル赤外線センサ、圧力センサ、光センサ、皮膚インピーダンスセンサ及び／又は動き若しくは位置センサを含むセンサ群から選択された少なくとも一つのセンサを含む請求項１に記載の装置。
【請求項９】
前記ヘッドはさらに、床とリムを有するリング状壁とによって画定された中心配置ボアを有するベースを含み、
前記揺動キャリアはさらに表面を含み、
センサが、前記リムに沿って配列され、又は複数のＲＦ電極のまわり及び／若しくは間において前記揺動キャリアの前記表面上に分散される請求項１に記載の装置。
【請求項１０】
前記揺動キャリアは、前記ベース及び前記ハンドルの少なくとも一つに位置決めされた揺動電気モータに回転可能駆動器を介して取り付けられ、
前記揺動電気モータは、ブラシレスモータ、ＡＣ若しくはＤＣモータ、ステッパモータ又は圧電モータを含むモータ群から選択される請求項６に記載の装置。
【請求項１１】
前記揺動キャリアは前記ボアの中に落とし込まれ、
前記リング状壁のリムは、前記揺動キャリアの表面上方に１〜１０ｍｍ延び、かつ、組織のセグメントを、前記ヘッドが前記組織の表面に適用されるときに収容するべく動作可能な前記ボアの沈下部分を画定し、前記組織の表面の限られた面積のみが前記沈下部分の中に入るように促されて前記揺動キャリアの表面及び前記電極に接触するようになる請求項６に記載の装置。
【請求項１２】
前記リング状壁のリムは、沈下部分の中に入るように促される前記組織の表面及び前記組織によって適用される圧力の大部分を吸収し、
キャリアの表面に接触することはモータの軸へ過剰な圧力を適用することがない請求項１１に記載の装置。
【請求項１３】
前記揺動キャリアはさらに、前記揺動キャリアの揺動中、沈下部の中に収容される前記組織の表面の限られた部分に対し及び前記部分に垂直に機械的なマッサージ効果を及ぼす請求項１１又は１２に記載の装置。
【請求項１４】
家庭用美容ボディコントワリング装置であって、
保持容易なハンドルと、
円盤形状かつ一般に平坦な断面形状を有するヘッドであって、前記ハンドルに一体的に取り付けられたベースと回転可能キャリアを回転動作可能に収容する中心配置のボアとを含むヘッドと、
表面を有して前記ボア内を１８０度まで回転し又は揺動する動作が可能な、前記表面に取り付けられた少なくとも一つの剛体又は半剛体曲線ＲＦ電極を有する回転可能キャリアと、
発光素子と、
センサと
を含む装置。
【請求項１５】
前記回転可能キャリアの表面は曲がっている請求項１４に記載の装置。
【請求項１６】
前記発光素子は、発光ダイオード（ＬＥＤ）、レーザ、強パルス光（ＩＰＬ）及び赤外（ＩＲ）エネルギー放射器を含む光エネルギー放射素子群から選択される請求項１４に記載の装置。
【請求項１７】
前記センサは、前記ハンドル又はベースの少なくとも一つにおけるコントローラと通信する請求項１４に記載の装置。
【請求項１８】
前記センサは、前記回転可能キャリアの表面上及び／又は前記電極の少なくとも一つ上に位置決めされる請求項１４に記載の装置。
【請求項１９】
前記センサは、温度センサ、サーモパイル赤外線センサ、圧力センサ、光センサ、皮膚インピーダンスセンサ及び／又は動き若しくは位置センサを含むセンサ群から選択された請求項１４に記載の装置。
【請求項２０】
前記ヘッドの断面は卵形又は半卵形である請求項１又は１４に記載の装置。
【手続補正書】
【提出日】平成28年9月20日(2016.9.20)
【手続補正１】
【補正対象書類名】明細書
【補正対象項目名】０００３
【補正方法】変更
【補正の内容】
【０００３】
冷却飲料の生成を基本概念とする。冷却または凍結水が液体に触れると、伝熱により液体の温度が下がる場合が多く、消費者によっては満足度が高まる結果となる。広告主は長年、「よく冷えた」という用語を用いて、飲料販売を強化してきた。消費者の多くは、冷却効果を含む様々な理由のために、飲料内に自由に氷を浮かべることを好む。生憎、凍結水が飲料内で溶解すると、液体の成分が変化して薄められる、換言すれば、液体の容積に対する添加物の割合、または添加物の濃度が減少する。消費者の中には、混合物の望ましくない効果や味覚の変化を軽減させるために、純水以外の混合物を凍結させ、飲料に加える者もいるが、凍結プロセスにはかなりの時間を必要とする。従って、希釈効果を軽減する冷却飲料を生成するための、より便利な方法が必要となる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第６，１１２，５３７号明細書
（特許文献２）  米国特許第５，２８４，０２８号明細書
（特許文献３）  米国特許第５，９２７，０８５号明細書
（特許文献４）  米国特許第５，７９９，５０１号明細書
（特許文献５）  米国特許第４，７８４，６７８号明細書
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
a)タンパク質の生産を可能にする細胞培養条件下で成長因子、タンパク質、およびペプチド不含培地中でCHO細胞を培養し、
b)該細胞に1またはそれ以上の成長因子をフィードする
ことを含むタンパク質を製造するための細胞培養方法
【請求項２】
該フィード工程b)を1日1回行う請求項1記載の細胞培養方法。
【請求項３】
該フィード工程b)を連続的に行う請求項1記載の細胞培養方法。
【請求項４】
該フィード工程b)を1日1回より多く行う請求項1記載の細胞培養方法。
【請求項５】
該フィード工程b)を1日1回より少なく行う請求項1記載の細胞培養方法。
【請求項６】
該成長因子を、基礎培地もしくはフィード培地に、または接種後いつでもボーラスとして加える請求項1記載の細胞培養方法。
【請求項７】
該成長因子をフィード培地中の該細胞にフィードする請求項6記載の細胞培養方法。
【請求項８】
該成長因子が、インスリン、上皮成長因子(EGF)、インスリン様成長因子(IGF)、形質転換成長因子α(TGF-α)、bFGF、およびPDGFからなる群から選ばれる請求項1〜7に記載の細胞培養方法。
【請求項９】
該成長因子がインスリンであり、該フィード培地が約1μg/L〜10mg/Lの量のインスリンを含む請求項7記載の細胞培養方法。
【請求項１０】
末期細胞生存率が成長因子含有培地で増殖した細胞の末期細胞生存率に比べて増加している請求項1記載の細胞培養方法。
【請求項１１】
タンパク質力価が成長因子含有培地で増殖した細胞のタンパク質力価に比べて増加している請求項1記載の細胞培養方法。
【請求項１２】
タンパク質凝集が成長因子含有培地で増殖した細胞のタンパク質凝集に比べて減少している請求項1記載の細胞培養方法。
【請求項１３】
a)aCD40Lの生産を可能にする細胞培養条件下、成長因子、タンパク質、およびペプチド不含培地中でCHO細胞を培養し、
b)該細胞に1またはそれ以上の成長因子をフィードする
ことを含む可溶性aCD40L融合タンパク質を製造するための細胞培養方法。
【請求項１４】
a)ミオスタチンの生産を可能にする細胞培養条件下、成長因子、タンパク質、およびペプチド不含培地中でCHO細胞を培養し、
b)該細胞に1またはそれ以上の成長因子をフィードする
ことを含む可溶性ミオスタチン融合タンパク質を製造するための細胞培養方法。
【請求項１５】
a)CTLA4Igの生産を可能にする細胞培養条件下、成長因子、タンパク質、およびペプチド不含培地中でCHO細胞を培養し、
b)該細胞に1またはそれ以上の成長因子をフィードする
ことを含む可溶性CTLA4Ig融合タンパク質を製造するための細胞培養方法。
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
対象の第１の生理的パラメータを測定するための所定の条件が満たされるかどうかを決定する装置において、前記装置が、
前記対象の１以上の第２の生理的パラメータを測定する１以上の生理的センサと、
前記対象の環境から１以上の環境パラメータを測定する以上の環境センサと、
前記１以上の第２の生理的パラメータの値及び前記１以上の環境パラメータの値に基づいて前記所定の条件が満たされるかどうかを決定する決定ユニットと、
前記対象の前記第１の生理的パラメータを測定するための前記所定の条件が満たされることを出力する出力ユニットと、
を有し、
前記出力ユニットは、前記所定の条件が満たされていない場合に前記対象をガイドする命令を与えることを特徴とする、
装置。
【請求項２】
前記１以上の生理的パラメータを測定する前記１以上の生理的センサが、ＥＣＧ電極、皮膚温度センサ、皮膚電気抵抗センサ、心音センサ、胸部インピーダンスセンサ、赤外光プレチスモグラフセンサ、近赤外光プレチスモグラフセンサ、呼吸インダクタンスプレチスモグラフセンサ、三軸加速度計、マイクロフォン及びカフベースの血圧計センサの１以上である、請求項１に記載の装置。
【請求項３】
１より多いタイプのセンサが、単一の生理的パラメータを測定するのに使用される、請求項１又は２に記載の装置。
【請求項４】
前記環境センサが、気温センサ、大気圧センサ、マイクロフォン、湿度センサ及び加速度計センサの１以上である、請求項１、２又は３に記載の装置。
【請求項５】
前記決定ユニットは、前記所定の条件が満たされると前記決定ユニットが決定するために前記第２の生理的パラメータ及び／又は環境パラメータのいずれが変化する必要があるかを決定し、
前記出力ユニットは、前記第１の生理的パラメータ並びに前記１以上の第２の生理的パラメータ及び／又は環境パラメータの各々の値に依存して、前記生理的及び／又は環境パラメータのいずれが変化する必要があるかを前記決定ユニットが決定したことに応じて１以上の所定の命令を出力し、前記所定の命令が、前記決定された変化を達成するアクションを取るように前記対象に命令する、
請求項１乃至４の何れか一項に記載の装置。
【請求項６】
前記第１の生理的パラメータが、血圧である、請求項１に記載の装置。
【請求項７】
前記装置が、血圧を測定する血圧センサを有し、前記装置は、前記出力ユニットが、前記対象の血圧測定に対する所定の基準が満たされることを出力する期間中に前記血圧センサから血圧値を取得する、請求項６に記載の装置。
【請求項８】
前記対象により着用される衣類において、前記衣類が、請求項１乃至７の何れか一項に記載の装置を有し、前記装置は、使用時に、前記センサが、前記対象の身体の所定の場所に付着され、前記所定の場所の各々に対応する生理的信号を感知するように、前記衣類に一体化される、衣類。
【請求項９】
前記１以上の環境センサが、各センサに対応する前記環境パラメータを感知するように前記衣類上に配置される、請求項８に記載の衣類。
【請求項１０】
対象の第１の生理的パラメータを測定するための所定の条件が満たされるかどうかを決定する方法において、前記方法が、
１以上の生理的センサで１以上の第２の生理的パラメータを測定するステップと、
１以上の環境センサで１以上の環境パラメータを測定するステップと、
前記１以上の第２の生理的パラメータの値及び前記１以上の環境パラメータの値に基づいて前記所定の条件が満たされるかどうかを決定するステップと、
前記対象の前記第１の生理的パラメータを測定するための前記所定の条件が満たされることを出力するステップと、
を有し、
前記所定の条件が満たされていない場合に前記対象をガイドするように命令を提供することを特徴とする、
方法。
【請求項１１】
前記第１の生理的パラメータが、血圧である、請求項１０に記載の方法。
【請求項１２】
前記決定するステップが、値が前記所定の条件を満たすために変化する必要がある前記第２の生理的パラメータ及び／又は環境パラメータを決定することを含み、
前記出力するステップは、前記第１の生理的パラメータ並びに前記第２の生理的パラメータ及び／又は環境パラメータの１以上の値に基づいて、前記所定の条件が満たされるように、値が変化する必要がある前記第２の生理的パラメータ及び／又は環境パラメータの値の変化を達成するアクションを取るように、前記対象に所定の命令を出力することを含む、
請求項１０又は１１に記載の方法。
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
ワイヤレス電力送信の方法であって、
ワイヤレス電力受信機の受信アンテナにワイヤレス電力を提供するように構成された送信アンテナを介して、ワイヤレス電力送信システムの第1の部分を励起するステップと、
非充電オブジェクトが存在する場合、前記非充電オブジェクトと前記第1の部分との間の結合を示す第1のパラメータの第1の変化を検出するステップと、
前記第1の変化に基づいて、前記ワイヤレス電力送信の特性を変更するステップとを含む方法。
【請求項２】
前記方法はさらに、送信アンテナからのオブジェクトの距離を判定するためのものであり、
前記送信アンテナを介して、前記ワイヤレス電力送信システムの第2の部分を励起するステップであって、前記第2の部分が前記第1の部分から変位されているステップと、
前記非充電オブジェクトが存在する場合、前記非充電オブジェクトと前記第2の部分との間の結合を示す第2のパラメータの第2の変化を検出するステップと、
前記第1および第2の変化を比較して、前記オブジェクトの場所を判定するステップと、
をさらに含む、請求項1に記載の方法。
【請求項３】
前記結合が容量結合を含む、請求項1または2に記載の方法。
【請求項４】
前記第1および／または第2の部分が各々、導電性板を含む、請求項1または2に記載の方法。
【請求項５】
各導電性板が金属を含む、請求項4に記載の方法。
【請求項６】
前記非充電オブジェクトが生物または寄生受信機を含む、請求項1または2に記載の方法。
【請求項７】
前記オブジェクトの前記判定された場所に基づいて、ワイヤレス電力送信の特性を変更するステップをさらに含む、請求項2に記載の方法。
【請求項８】
前記ワイヤレス電力送信の前記変更された特性が送信電力または送信周波数を含む、請求項1または7に記載の方法。
【請求項９】
前記判定された場所に基づいて、デバイス入力を制御するステップをさらに含む、請求項2に記載の方法。
【請求項１０】
前記オブジェクトの配向を判定するステップをさらに含む、請求項2に記載の方法。
【請求項１１】
ワイヤレス電力送信のための装置であって、
ワイヤレス電力受信機の受信アンテナにワイヤレス電力を送信するため、およびワイヤレス電力送信システムの第1の部分を励起するためのアンテナと、
非充電オブジェクトが存在する場合、前記非充電オブジェクトと前記第1の部分との間の結合を示す第1のパラメータの第1の変化を検出するための手段と、
前記第1の変化に基づいて、前記ワイヤレス電力送信の特性を変更するための手段と、
を備える装置。
【請求項１２】
前記装置は、送信アンテナからのオブジェクトの距離を判定するためのものであり、前記アンテナは、ワイヤレス電力送信システムの第2の部分を励起するためのものであり、前記第2の部分が前記第1の部分から変位されており、
前記装置はさらに、
前記非充電オブジェクトが存在する場合、前記非充電オブジェクトと前記第2の部分との間の結合を示す第2のパラメータの第2の変化を検出するための手段と、
前記第1および第2の変化を比較して、前記オブジェクトの場所を判定するための手段と、
を備える、請求項11に記載の装置。
【請求項１３】
請求項11に記載の装置を備えた、ワイヤレス電力送信を提供するように構成されたシステムであって、
前記第1の部分は第1の金属板であり、
前記アンテナは、ワイヤレス電力を提供するように、および前記第1の金属板を励起するように構成された送信アンテナであり、
前記検出するための手段は、前記送信アンテナと前記第1の金属板との間のキャパシタンスの第1の変化を検出するように構成された回路である、
システム。
【請求項１４】
ワイヤレス充電システムの付近にある外部オブジェクトの場所を判定するようにさらに構成され、、
前記第1の金属板から変位された第2の金属板であって、前記送信アンテナが前記第2の金属板を励起するように構成された、第2の金属板と、
前記送信アンテナと前記第2の金属板の間のキャパシタンスの第2の変化を検出するように構成された回路と、
前記第1の変化を前記第2の変化と比較して、前記外部オブジェクトの前記場所を判定するように構成された回路と、
を備える、請求項13に記載のシステム。
【請求項１５】
コードを含む非一時的コンピュータ可読媒体であって、前記コードが、実行されると、装置に、請求項１乃至１０の何れか１項に記載の方法を実施させる、非一時的コンピュータ可読媒体。
【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
メディアストリームを送信するためのデバイスであって、前記デバイスは、
クライアントから、メディアストリームを識別する情報についての要求を受信するための手段と、前記要求が、前記クライアントを識別する情報を含む、
前記メディアストリームを要求する前記クライアントからの要求中に与えられた情報に基づいて前記メディアストリームの一部分のための状態情報を生成するように構成された状態マネージャと、前記状態情報が前記クライアントに固有の情報を含む、
前記メディアストリームを識別する情報を前記クライアントに送信するように構成された送信機と、前記メディアストリームを識別する前記情報が前記生成された状態情報を含む、
前記クライアントに固有の前記状態情報の少なくとも前記一部分を記憶するためのメモリと、
前記クライアントから前記状態情報を受信するように構成された受信機と、
前記記憶された状態情報に関する、前記クライアントに固有の前記情報を含む、前記受信した状態情報に少なくとも部分的に基づいて出力メディアストリームを生成するように構成されたコンテンツ生成器とを備える、デバイス。
【請求項２】
前記状態情報が、前記クライアントにストリーミングされたメディア、前記クライアントにストリーミングされるべきメディア、前記クライアントのユーザのための人口統計学的情報、前記クライアントの技術的能力、または前記クライアントのための許可のうちの１つまたは複数を示す、請求項１に記載のデバイス。
【請求項３】
前記メディアストリームの前記一部分を識別する前記情報を送信することが、動的適応ストリーミングオーバーＨＴＴＰメディアプレゼンテーション記述ファイルを送信することを備える、請求項１または２のいずれか一項に記載のデバイス。
【請求項４】
状態情報を生成することが、擬似ランダム値と一意の擬似ランダム値とのうちの少なくとも１つを生成することを含む、請求項１から３のいずれか一項に記載のデバイス。
【請求項５】
出力メディアストリームを生成することが、
前記メディアストリームの前記識別された一部分を取得することと、
前記受信した状態情報に少なくとも部分的に基づいて少なくとも１つの追加のコンテンツ要素を識別することと、
前記識別された一部分の挿入点を識別することと、
前記取得された一部分の前記識別された挿入点において前記識別された追加のコンテンツを含む前記出力メディアストリームを生成することとを備える、請求項１から４のいずれか一項に記載のデバイス。
【請求項６】
前記メディアストリームを識別する前記情報が前記メディアストリームの前記一部分のための識別子を含み、ここにおいて、前記受信機が前記識別子を受信するようにさらに構成され、ここにおいて、前記コンテンツ生成器が、前記識別子に基づいて前記出力メディアストリームを生成するようにさらに構成された、請求項１から５のいずれか一項に記載のデバイス。
【請求項７】
メディアストリームを送信するための方法であって、前記方法は、
クライアントから、メディアストリームを識別する情報についての要求を受信することと、前記要求が、前記クライアントを識別する情報を含む、
前記メディアストリームを要求する前記クライアントからの要求中に与えられた情報に基づいて前記メディアストリームの一部分のための状態情報を生成することと、前記状態情報が前記クライアントに固有の情報を含む、
前記メディアストリームを識別する情報を前記クライアントに送信することと、前記メディアストリームを識別する前記情報が前記生成された状態情報を含む、
前記クライアントに固有の前記状態情報の少なくとも前記一部分を記憶することと、
前記クライアントから前記状態情報を受信することと、
前記記憶された状態情報に関する、前記クライアントに固有の前記情報を含む、前記受信した状態情報と前記メディアストリームの前記一部分を識別する前記受信した情報とに少なくとも部分的に基づいて出力メディアストリームを生成することとを備える、方法。
【請求項８】
前記状態情報が、前記クライアントにストリーミングされたメディア、前記クライアントにストリーミングされるべきメディア、前記クライアントのユーザのための人口統計学的情報、前記クライアントの技術的能力、または前記クライアントのための許可のうちの１つまたは複数を示す、請求項７に記載の方法。
【請求項９】
前記メディアストリームの前記一部分を識別する前記情報を送信することが、動的適応ストリーミングオーバーＨＴＴＰメディアプレゼンテーション記述ファイルを送信することを備える、請求項７または８のいずれか一項に記載の方法。
【請求項１０】
状態情報を生成することが、擬似ランダム値と一意の擬似ランダム値とのうちの少なくとも１つを生成することを含む、請求項７から９のいずれか一項に記載の方法。
【請求項１１】
出力メディアストリームを生成することが、
前記メディアストリームの前記識別された一部分を取得することと、
前記受信した状態情報に少なくとも部分的に基づいて少なくとも１つの追加のコンテンツ要素を識別することと、
前記識別された一部分の挿入点を識別することと、
前記取得された一部分の前記識別された挿入点において前記識別された追加のコンテンツを含む前記出力メディアストリームを生成することとを備える、請求項７から１０のいずれか一項に記載の方法。
【請求項１２】
前記状態情報を送信することが、前記メディアストリームの前記一部分のためのクエリストリング中に前記状態情報を含めることを備える、請求項７から１１のいずれか一項に記載の方法。
【請求項１３】
前記生成された出力メディアストリームを前記クライアントに送信することをさらに備える、請求項７から１１のいずれか一項に記載の方法。
【請求項１４】
前記メディアストリームを識別する前記情報が前記メディアストリームの前記一部分のための識別子を含み、ここにおいて、前記方法が、前記識別子を受信することをさらに備え、ここにおいて、前記出力メディアストリームを生成することが、前記メディアストリームの前記一部分を識別する前記受信した情報にさらに基づく、請求項７から１３のいずれか一項に記載の方法。
【請求項１５】
装置のプロセッサによって実行可能な命令を備えるコンピュータ可読記憶媒体であって、前記命令は、請求項７から１４のいずれか一項に記載の方法を実行することを前記装置に行わせる、コンピュータ可読記憶媒体。
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
ワイヤレス電力受信機デバイスのための回路であって、
ワイヤレス電力伝達送信機デバイスと関連付けられた磁場からワイヤレス電力を受信するように構成された誘導性要素であって、前記受信されたワイヤレス電力が前記誘導性要素内に交流を誘導する、誘導性要素と、
前記誘導性要素に電気的に結合され、負荷に電流を供給して前記負荷にかかる電圧を生じさせるように構成された出力インターフェース回路と、
前記負荷にかかる前記電圧を検出するように構成された電圧検出器と、
前記検出された電圧に基づいて前記出力インターフェース回路から前記負荷を分離し、前記誘導性要素からの負荷にかかる電圧の変動を分離して、前記負荷にかかる前記電圧が変化するときに、前記誘導性要素内の前記交流を実質的に一定に維持するように構成されたコントローラと
を備える、回路。
【請求項２】
前記誘導性要素と前記出力インターフェース回路との間に電気的に結合された少なくとも1つのスイッチング要素をさらに備える、請求項1に記載の回路。
【請求項３】
前記コントローラが、前記負荷にかかる前記電圧が変化するときに、前記誘導性要素にかかる電圧を実質的に一定に維持するように構成される、請求項1または2に記載の回路。
【請求項４】
前記出力インターフェース回路が、
前記誘導性要素内に誘導される前記交流を直流に変換するように構成された整流器と、
前記整流器からの前記直流を受信して、前記負荷への電力出力を制御するように構成されたブースト変換器と
を備える、請求項1から3のいずれか一項に記載の回路。
【請求項５】
前記コントローラが、前記負荷にかかる前記電圧が変化するときに、前記整流器からの前記直流を実質的に一定に維持するように構成される、請求項4に記載の回路。
【請求項６】
前記コントローラが、前記スイッチング要素のデューティサイクルを制御するように構成される、請求項2から4のいずれか一項に記載の回路。
【請求項７】
前記スイッチング要素の前記デューティサイクルが、前記負荷にかかる前記電圧に比例する、請求項6に記載の回路。
【請求項８】
ワイヤレス電力伝達の方法であって、
磁場からワイヤレス電力を受信するステップであって、前記受信されたワイヤレス電力が誘導性要素内に交流を誘導する、受信するステップと、
前記誘導性要素内の前記交流に基づいて負荷に電流を供給するステップと、
前記負荷にかかる電圧を検出するステップと、
前記検出された電圧に基づいて出力インターフェース回路から前記負荷を分離し、前記誘導性要素からの負荷にかかる電圧の変動を分離して、前記負荷にかかる前記電圧が変化するときに、前記誘導性要素内の前記交流を実質的に一定に維持するステップと
を含む、方法。
【請求項９】
前記負荷にかかる前記電圧が変化するときに、前記誘導性要素にかかる電圧を実質的に一定に維持するステップをさらに含む、請求項8に記載の方法。
【請求項１０】
負荷に電流を供給するステップが、
前記誘導性要素内に誘導される前記交流を直流に変換するステップと、
前記直流を受信するステップと、
前記負荷への電力出力を制御するステップと
を含む、請求項8または9に記載の方法。
【請求項１１】
前記負荷にかかる前記電圧が変化するときに、前記直流を実質的に一定に維持するステップをさらに含む、請求項10に記載の方法。
【請求項１２】
スイッチング要素のデューティサイクルを制御するステップをさらに含む、請求項8から10のいずれか一項に記載の方法。
【請求項１３】
前記スイッチング要素の前記デューティサイクルが、前記負荷にかかる前記電圧に比例する、請求項12に記載の方法。
【手続補正書】
【提出日】平成28年8月22日(2016.8.22)
【手続補正１】
【補正対象書類名】特許請求の範囲
【補正対象項目名】全文
【補正方法】変更
【補正の内容】
【特許請求の範囲】
【請求項１】
農産物の保存寿命を増大するための農産物洗浄方法であって：
複数の農産物を用意し；
農産物調製装置を用意し；
前記複数の農産物を、第１洗浄部分と第２洗浄部分と第３洗浄部分と乾燥部分とから成る前記農産物調製装置内へ装入し；
前記農産物を、前記農産物調製装置の前記第１洗浄部分によって第１洗浄剤中で洗浄し、ここで第１洗浄剤は酸化性殺菌洗浄剤を含み；
前記農産物を、前記農産物調製装置の前記第２洗浄部分によって第２洗浄剤中で洗浄し、ここで前記第２洗浄剤は界面活性殺菌洗浄剤を含み；
前記農産物を、前記農産物調製装置の前記第３洗浄部分によって第３洗浄剤中で洗浄し；
前記農産物を、前記調製装置の前記乾燥部分によって乾燥させ；
前記農産物を包装する
工程を含み；そして
前記洗浄済、乾燥済、そして包装済の農産物はすぐに食べられる状態にある、
農産物洗浄方法。
【請求項２】
前記酸化性殺菌剤が二酸化塩素を含む、請求項１に記載の農産物洗浄方法。
【請求項３】
前記界面活性殺菌洗浄剤がアニオン性界面活性剤と酸性アニオン性消毒剤とから成っている、請求項１又は２に記載の農産物洗浄方法。
【請求項４】
前記界面活性殺菌洗浄剤がPRO-SAN（登録商標）から成っている、請求項３に記載の農産物洗浄方法。
【請求項５】
前記第３洗浄剤が、濯ぎ用飲用水と組み合わされた殺菌剤を含む、請求項１〜４のいずれか１項に記載の農産物洗浄方法。
【請求項６】
前記殺菌剤がPRO-SAN（登録商標）最終濯ぎ洗浄剤である、請求項５に記載の農産物洗浄方法。
【請求項７】
前記第１洗浄剤が二酸化塩素を含み、
前記第２洗浄剤がPRO-SAN（登録商標）を含み、そして
前記第３洗浄剤が、濯ぎ用飲用水と組み合わされたPRO-SAN（登録商標）最終濯ぎ洗浄剤を含む、
請求項１〜６のいずれか１項に記載の農産物洗浄方法。
【請求項８】
前記PRO-SAN（登録商標）が０．７８％（１ｏｚ／ｇａｌ）であり、
前記PRO-SAN（登録商標）が前記農産物を２．０〜３．５分間浴処理し、
前記PRO-SAN（登録商標） 最終濯ぎ剤が０．２％（０．２５ｏｚ／ｇａｌ）であり、
前記第３洗浄剤の濯ぎ用飲用水の飲用水が１．１〜４．４℃である、
請求項７に記載の農産物洗浄方法。
【請求項９】
前記農作物が１０〜１２．７８℃まで冷却される、請求項１〜８のいずれか１項に記載の農産物洗浄方法。
【請求項１０】
前記農作物が１．１〜４．４℃まで冷却される、請求項９に記載の農産物洗浄方法。
【請求項１１】
前記乾燥部分が１又は複数の真空装置と１又は複数のエアカーテン乾燥器とから成る、請求項１〜１０のいずれか１項に記載の農産物洗浄方法。
【請求項１２】
前記乾燥部分が第１乾燥個所及び第２乾燥個所を含む、請求項１〜１１のいずれか１項に記載の農産物洗浄方法。
【請求項１３】
前記個所が異なる室内にある、請求１２に記載の農産物洗浄方法。
【請求項１４】
前記包装のための容器がポリプロピレンから形成された保護容器から成っており；そして
前記ポリプロピレン包装容器が、酸素透過率（Oxygen Transmission Rate）フィルムで覆われている、
請求項１〜１３のいずれか１項に記載の農産物洗浄方法。
【請求項１５】
前記農産物が、１又は複数のコンベヤベルトを介して前記農産物調製装置内部を移動され；
前記１又は複数のコンベヤベルトが水透過性であり、かつ前記農産物に対して機械的損傷を引き起こさない、請求項１〜１４のいずれか１項に記載の農産物洗浄方法。
【請求項１６】
前記農産物がベリーを含む、請求項１〜１５のいずれか１項に記載の農産物洗浄方法。
【請求項１７】
前記ベリーがブルーベリーである、請求項１６に記載の農産物洗浄方法。
【請求項１８】
前記ブルーベリーの保存寿命が少なくとも２１日である、請求項１７に記載の農産物洗浄方法。
【請求項１９】
農作物が請求項１〜１８のいずれか１項に記載の方法により調製されている、包装済の農作物。
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
治療システムであって、
患者を治療するための治療装置であって、該治療装置の表面には複数のマーカーが取り付けられている、治療装置と、
前記治療装置に対して患者を配置するための機械式寝台と、
放射線療法を受けている患者に対する前記治療装置の相対位置をモニタリングするための治療モニタリングシステムと、
を含み、
前記治療モニタリングシステムは、
患者にスペックルパターンを投射するスペックル投射器を含むとともに、放射線療法を受けている患者の立体画像を得るように動作可能な立体カメラシステムと
患者の立体画像を処理し、モニタリングされている患者の表面の３Ｄワイヤーメッシュコンピュータモデルを前記立体カメラシステムにより得られた前記立体画像の一部に対応する前記患者の外観に基づいて生成するように動作可能なモデリングユニットと、
を含み、
前記治療モニタリングシステムは、前記立体画像のうちの患者の表面の前記３Ｄワイヤーメッシュコンピュータモデルの生成に利用されていない部分に含まれる前記マーカーの画像を処理して、前記患者の前記３Ｄワイヤーメッシュコンピュータモデルに対する前記治療装置の相対位置を特定するように構成されている、治療システム。
【請求項２】
前記治療装置は、前記治療装置の本体部に対して軸を中心に回転するよう動作可能なガントリを含み、
装置位置特定モジュールが、前記立体画像のうちの患者の表面の前記３Ｄワイヤーメッシュコンピュータモデルの生成に利用されていない部分内における前記マーカーの位置に基づいて前記軸を中心とした前記ガントリの相対回転を特定する動作ができるように前記マーカーのうちの少なくとも一部が前記治療装置の表面上に設けられている、請求項１に記載の治療システム。
【請求項３】
前記治療装置は、前記治療装置の前記本体部から遠位側の前記ガントリの端部に設けられる回転可能なコリメータをさらに含み、該回転可能なコリメータは、前記ガントリの軸方向範囲に垂直な軸を中心に回転するように動作可能であり、
前記装置位置特定モジュールが、前記立体画像のうちの患者の表面の前記３Ｄワイヤーメッシュコンピュータモデルの生成に利用されていない部分内における前記マーカーの位置に基づいて前記コリメータの相対回転を特定する動作ができるように前記マーカーのうちの少なくとも一部が前記治療装置の表面上に設けられている、請求項２に記載の治療システム。
【請求項４】
前記治療装置の表面上に設けられた前記マーカーは複数のグループで設けられ、
前記装置位置特定モジュールは、前記立体画像のうちの患者の表面の前記３Ｄワイヤーメッシュコンピュータモデルの生成に利用されていない部分内における前記マーカーの１つ以上のグループの存在及び位置に基づいて回転の程度を特定するように動作可能である、請求項２又は３に記載の治療システム。
【請求項５】
前記機械式寝台に取り付けられた１つ以上のマーカーをさらに含み、
前記装置位置特定モジュールは、前記立体画像のうちの患者の表面の前記３Ｄワイヤーメッシュコンピュータモデルの生成に利用されていない部分内における前記機械式寝台に取り付けられた前記１つ以上のマーカーの位置に基づいて前記治療装置の位置に対する前記機械式寝台の相対位置を特定するように動作可能である、請求項２乃至４のいずれか一項に記載の治療システム。
【請求項６】
前記マーカーは逆反射マーカーを含み、
前記立体カメラシステムは光源を含み、
前記装置位置特定モジュールは、閾値化動作を行うことにより、前記立体画像のうちの患者の表面の前記３Ｄワイヤーメッシュコンピュータモデルの生成に利用されておらず且つ前記マーカーに対応する部分を特定するように動作可能である、請求項２乃至５のいずれか一項に記載の治療システム。
【請求項７】
前記マーカーの少なくとも一部は球状であり、
前記装置位置特定モジュールは、前記立体画像内の前記マーカーの円形の表示を特定することにより、前記立体画像のうちの患者の表面の前記３Ｄワイヤーメッシュコンピュータモデルの生成に利用されておらず且つ前記マーカーに対応する部分を特定するように動作可能である、請求項６に記載の治療システム。
【請求項８】
前記立体カメラシステムは、前記機械式寝台上に横たわり放射線療法を受けている患者の一連の画像を得るように動作可能であり、
前記装置位置特定モジュールは、前記一連の画像内における前記マーカーの検出位置を利用して患者に対する前記治療装置の相対位置を追跡するように動作可能である、請求項２乃至７のいずれか一項に記載の治療システム。
【請求項９】
前記装置位置特定モジュールは、患者に対する前記治療装置の相対位置を、所定の治療計画に基づく予測相対位置と比較するように動作可能である、請求項８に記載の治療システム。
【請求項１０】
前記装置位置特定モジュールは、患者に対する前記治療装置の相対位置を特定し、前記治療装置が前記患者又は前記機械式寝台と衝突する可能性がある場合は警告を発するように動作可能である、請求項２乃至９のいずれか一項に記載の治療システム。
【請求項１１】
特徴的なマーキングを有するフェイスマスクをさらに含み、
前記治療モニタリングシステムは、前記立体画像のうちの患者の表面の前記３Ｄワイヤーメッシュコンピュータモデルの生成に利用されていない部分に対応する画像データを処理して、フェイスマスク上の特徴的なマーキングの存在を検出し、該マーキングが治療を受けている患者について予測されるマーキングと対応しない場合は警告を発するように構成されている、請求項１乃至１０のいずれか一項に記載の治療システム。
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
計画画像を生成する撮像装置と、
超音波トランスデューサのフェーズドアレイと、
ターゲット領域にマルチ焦点超音波照射を生成するために、前記フェーズドアレイの前記超音波トランスデューサを個別に駆動させるための超音波トランスデューサドライバのアレイと、
前記計画画像に基づくターゲット温度プロファイルを受信し、
前記超音波トランスデューサのフェーズドアレイに、前記ターゲット温度プロファイルで前記ターゲット領域を加熱するマルチ焦点超音波照射パターンを生成させることができる前記超音波トランスデューサドライバのアレイの前記超音波トランスデューサドライバの各々に対して、電力、周波数、及び相対位相を計算し、
マルチ焦点超音波照射プロファイルが、前記ターゲット領域における音圧を最大音圧より低く維持するように、多数の焦点のための電力、周波数、及び相対位相を計算する
ようにプログラムされる１つ以上のプロセッサと、
を有する、マイルド加温療法処置装置。
【請求項２】
前記１つ以上のプロセッサは、更に、
前記計算された電力及び相対位相に基づいて、音圧分布マップをシミュレーションし、
シミュレーションされた前記音圧分布マップの音圧を予め選択された最大音圧と比較し、
前記シミュレーションされた音圧分布の音圧が、前記予め選択された最大音圧より低いように、前記電力、周波数、相対位相、及び／又は焦点の数を再計算する
ようにプログラムされる、請求項１に記載の装置。
【請求項３】
前記１つ以上のプロセッサは、更に、
前記シミュレーションされた音圧分布から、焦点クオリティを評価する
ようにプログラムされる、請求項２に記載の装置。
【請求項４】
前記１つ以上のプロセッサは、更に、前記マイルド加温療法処置の開始後に、
温度マップを生成し、
生成された前記温度マップを前記ターゲット温度プロファイルと比較し、
前記生成された温度マップと前記ターゲット温度プロファイルとの間の温度差に基づいて、適用された電力、周波数、及び相対位相の調整を計算し、
前記適用された電力、周波数、及び相対位相を調整する
ようにプログラムされる、請求項１に記載の装置。
【請求項５】
前記１つ以上のプロセッサは、更に、
前記ターゲット領域を超音波照射パターンのセットに分解する
ようにプログラムされる、請求項１に記載の装置。
【請求項６】
前記撮像装置は、磁気共鳴スキャナである、請求項１に記載の装置。
【請求項７】
前記磁気共鳴スキャナは、プロトン共鳴周波数シフト、Ｔ１、Ｔ２／Ｔ２＊、拡散、プロトン密度、又は分光法を利用する温度測定撮像シーケンスを適用するために、前記磁気共鳴スキャナを制御するスキャンコントローラを含む、請求項６に記載の装置。
【請求項８】
前記計画画像を表示し、該画像の上に臨床医が前記ターゲット温度プロファイルを入力する計画コンソールを更に含む、請求項１に記載の装置。
【請求項９】
マイルド加温療法処置を受けるために、被験体のターゲット領域を包含する計画画像を生成するステップと、
前記計画画像に基づいて、前記ターゲット領域に対してターゲット温度プロファイルを作成するステップと、
前記ターゲット温度プロファイルに従って、前記ターゲット領域を加熱するためのマルチ焦点超音波照射パターンを前記ターゲット領域に生成するために、超音波トランスデューサのフェーズドアレイを駆動させるための、電力、周波数、及び相対位相を計算するステップと、
前記ターゲット温度プロファイルに従って、前記ターゲット領域を加熱するステップと、
前記マルチ焦点超音波照射パターンによって被験体の前記ターゲット領域の中に及び隣接して作り出される音圧が、予め選択された最大音圧よりも小さくなるように、前記電力、周波数、及び相対位相を抑制するステップと
を有する、マイルド加温療法処置の方法。
【請求項１０】
前記音圧が、前記最大音圧よりも低くなるように抑制するステップは、
計算された前記電力及び相対位相から音圧分布をシミュレーションするステップと、
シミュレーションされた前記音圧分布の圧力を前記最大圧力と比較するステップと、
前記シミュレーションされた音圧分布の前記音圧を前記最大音圧より低くするために、前記電力、周波数、及び相対位相を再計算するステップと
を含む、請求項９に記載の方法。
【請求項１１】
被験体の部位を、前記超音波トランスデューサのフェーズドアレイと接触させて配置し、少なくとも前記被験体の前記部位を前記超音波トランスデューサのフェーズドアレイと接触させて撮像装置の撮像領域の中に移動させるステップと、
前記撮像領域で、前記被験体の前記部位の温度マップを生成するステップと、
生成された前記温度マップを前記ターゲット温度プロファイルと比較するステップと、
前記比較に基づいて、前記生成された温度マップを前記ターゲット温度プロファイルと適合させるために、前記超音波トランスデューサのフェーズドアレイに適用された前記電力及び相対位相を調整するステップと、
前記ターゲット領域の温度が、前記マイルド加温療法処置プロシージャにわたって、前記ターゲット温度プロファイルと適合するように維持するために、生成するステップ、比較するステップ、及び調整するステップを周期的に繰り返すステップと
を更に含む、請求項９に記載の方法。
【請求項１２】
前記適用された電力、周波数、及び相対位相を調整するステップは、前記被験体においてシミュレーションされた音圧分布の音圧が、前記予め選択された最大音圧よりも低いままであるように、前記適用された電力及び位相を抑制するステップを含む、請求項１１に記載の方法。
【請求項１３】
効力又は局所送達が熱的に強化される温度感応性治療剤を前記被験体に注入するステップであって、前記ターゲット温度プロファイルが前記ターゲット領域における前記治療剤の効力及び送達を強化させる当該ステップ
を更に含む、請求項１１又は１２に記載の方法。
【請求項１４】
加熱された前記ターゲット領域の形状を制御するために、電力、周波数、相対位相、及び／又は焦点の数を抑制するステップ
を更に含む、請求項９に記載の方法。
【請求項１５】
前記温度マップを生成するステップは、温度測定撮像シーケンスを適用するステップを含む、請求項１１乃至１４のいずれか一項に記載の方法。
【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
組織を凝固させるための電気外科的システムであって：
前記システムは、
電気外科的発生器と；
イオン化可能のガス源と； 
組織を凝固させるための器具を含み；
前記器具は、
チューブ状の壁並びに近位端及び遠位端を有する延伸するチューブと、
前記チューブの遠位端へイオン化可能ガスを使用の際に供給できる導管であって、前記チューブは、前記イオン化可能ガスが使用の際に前記チューブの遠位端の領域内で前記チューブから出られるように前記チューブに１つ以上の開口部が形成された導管と、
前記チューブ状の壁に関係付けられた編組されたチューブ状のコンポーネントと、
前記１つ以上の開口部から出る前記イオン化可能ガスを使用の際にイオン化するために、前記編組されたチューブ状のコンポーネントが電極アセンブリの一部を形成するように、前記編組されたチューブ状のコンポーネントを前記電気外科的発生器に接続するためのコネクタとを備える、
電気外科的システム。
【請求項２】
前記編組されたチューブ状のコンポーネントは、前記コネクタと電極素子との間に電気経路を形成するリード線を構成する、
請求項１に記載のシステム。
【請求項３】
前記編組されたチューブ状のコンポーネントが電極素子を構成する、
請求項１に記載のシステム。
【請求項４】
前記チューブ状の壁が内面及び外面を備え、前記編組されたチューブ状のコンポーネントが前記チューブ状の壁の内面に隣接して配置された、
請求項２又は３に記載のシステム。
【請求項５】
前記編組されたチューブ状のコンポーネントが前記イオン化可能ガスをイオン化する領域外で、前記編組されたチューブ状のコンポーネントを前記導管から絶縁するために配置される絶縁スリーブを更に備える、
請求項１〜４の何れかに記載のシステム。
【請求項６】
前記編組されたチューブ状のコンポーネントが、前記１つ以上の開口部を出る前記イオン化可能ガスをイオン化するための前記電極アセンブリの一部を形成できるようにするために、前記絶縁スリーブが前記開口部周囲に延在しない、
請求項５に記載のシステム。
【請求項７】
前記編組されたチューブ状のコンポーネントが前記チューブ状の壁に埋め込まれる、
請求項２又は３に記載のシステム。
【請求項８】
前記編組されたチューブ状のコンポーネントは、前記編組されたチューブ状のコンポーネントと複数層の電気絶縁材料層とを備える積層構造における内側の層である、
請求項７に記載のシステム。
【請求項９】
前記１つ以上の開口部には、前記チューブの遠位端にある開口部が含まれる、
請求項１〜８何れかに記載のシステム。
【請求項１０】
前記チューブが、前記チューブの遠位端に前記開口部を構成する開口端面を有する、
請求項９に記載のシステム。
【請求項１１】
前記チューブが遠位端面を有し、前記チューブの前記遠位端にある前記開口部が、前記遠位端面に形成されている、
請求項９に記載のシステム。
【請求項１２】
請求項３に従属する場合、前記開口部を出る前記イオン化可能ガスをイオン化するための前記電極素子を形成するために、前記チューブの遠位端で前記編組されたチューブ状のコンポーネントが露出されている、
請求項９〜１１何れかに記載のシステム。
【請求項１３】
前記１つ以上の開口部には、前記チューブの壁にある１つ以上の側面開口部が含まれる、
請求項１〜８の何れかに記載のシステム。
【請求項１４】
前記１つ以上の開口部には、前記チューブの壁にある１つ以上の側面開口部が含まれ、
前記開口部を出る前記イオン化可能ガスをイオン化するための前記電極素子を形成するために、前記１つ以上の側面開口部の領域で前記編組されたチューブ状のコンポーネントが露出されている、
請求項１３  ３に記載のシステム。
【請求項１５】
前記システムは、前記電気外科的発生器に接続される患者リターン電極を含む、
請求項１乃至請求項１４のいずれか一項に記載のシステム。
【請求項１６】
前記電気外科的システムは、前記電気外科的発生器に接続されるリターン電極を含む、
請求項１乃至請求項１５のいずれか一項に記載のシステム。
【請求項１７】
前記リターン電極が編組されたチューブ状のコンポーネントを備える、
請求項１６に記載のシステム。
【請求項１８】
前記リターン電極が、前記編組されたチューブ状のコンポーネントと複数層の電気絶縁材料層とを備える積層構造中の層である、
請求項１７に記載のシステム。
【請求項１９】
前記器具は、
前記チューブの前記チューブ状の壁と関係付けられる第２の編組されたチューブ状のコンポーネントと、
前記１つ以上の開口部から出る前記イオン化可能ガスをイオン化するために、双極の電極アセンブリの一部を前記第１及び第２の編組されたチューブ状のコンポーネントにより形成できるように、前記第１及び第２の編組されたチューブ状のコンポーネントを電気エネルギー源に接続するためのコネクタと、
を備える請求項１乃至請求項１４のいずれか一項に記載のシステム。
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
文書をナビゲートする方法であって、
コンテンツのページビューを表示すること、
前記コンテンツのページビューを概観モードに変更するための概観指示を含むジェスチャを受け取ること、
前記コンテンツのページと前記コンテンツの周囲のページを含むサムネイルを表示する前記概観モードのために、前記コンテンツのページビューを変更すること、および、
前記概観モードの間に、前記サムネイルのうちの１つとのインタラクションを受け取ることに応答し、前記サムネイルに加えて、前記サムネイルの少なくとも一部のドリルダウンビューを表示することを含む追加のコンテンツを表示する、
ことを含む方法。
【請求項２】
前記概観モードの間に前記サムネイルビューの表示の近くに文書マップを表示することをさらに含む、請求項１に記載の方法。
【請求項３】
前記概観指示を含むジェスチャを受け取ることが、ピンチジェスチャを受け取ること、ならびに、前記概観モードの間に、ピンチジェスチャとストレッチジェスチャとのうちの一方である受け取られたジェスチャに応答して前記表示サムネイル数および表示詳細レベルを変更することを含み、
前記詳細レベルが変化するのに伴って、前記サムネイルのそれぞれに表示される前記コンテンツが、前記コンテンツのズームアウトビューと、修正された前記コンテンツのズームアウトビューと、前記コンテンツの象徴とを含む異なる複数のビュー間で変化する、請求項１に記載の方法。
【請求項４】
前記概観モードの間に前記サムネイルビューの表示の近くに文書マップを表示することが、前記コンテンツにおける異なる複数の部分を表す選択可能なインジケータを表示することを含み、前記インジケータが選択されると前記サムネイルの前記表示が更新される、請求項２に記載の方法。
【請求項５】
前記コンテンツが、ワードプロセッシング文書と、スライドを含むプレゼンテーションと、スプレッドシートとのうちの１つからのものである、請求項１に記載の方法。
【請求項６】
コンテンツを選択するためのコンピュータ実行可能命令を記憶したコンピュータ可読媒体であって、
コンピュータ実行可能命令は、
コンテンツのページビューを表示すること、
前記コンテンツのページビューを概観モードに変更するための概観タッチジェスチャを受け取ること、
前記コンテンツのページと前記コンテンツの周囲のページを含むサムネイルを表示する前記概観モードのために、前記コンテンツのページビューを変更すること、および、
前記概観モードの間に、前記サムネイルビューの表示の近くに文書マップを表示し、前記サムネイルのうちの１つとのインタラクションを受け取ることに応答し、前記サムネイルに加えて、前記サムネイルの少なくとも一部のドリルダウンビューを表示することを含む追加のコンテンツを表示する、
コンピュータ可読媒体。
【請求項７】
前記概観モードの間に、ピンチジェスチャを受け取ることに応答して前記表示サムネイル数を増加させ、ストレッチジェスチャを受け取ることに応答して前記表示サムネイル数を減少させ、前記コンテンツのズームアウトビューと、修正された前記コンテンツのズームアウトビューと、前記コンテンツの象徴とを含む異なる複数のビュー間で詳細レベルを変更する、請求項６に記載のコンピュータ可読媒体。
【請求項８】
コンテンツを選択するためのシステムであって、
タッチ入力を受け取るように構成されたディスプレイと、
プロセッサおよびメモリと、
前記プロセッサを使用して実行される動作環境と、
コンテンツを提示するディスプレイと、
アクションを実施するように構成されたビューマネージャとを備え、前記アクションが、
コンテンツのページビューを表示すること、
前記コンテンツのページビューを概観モードに変更するための概観タッチジェスチャを受け取ること、
前記コンテンツのページと前記コンテンツの周囲のページを含むサムネイルを表示する前記概観モードのために、前記コンテンツのページビューを変更すること、および、
前記概観モードの間に、前記サムネイルのうちの１つとのインタラクションを受け取ることに応答し、前記サムネイルに加えて、前記サムネイルの少なくとも一部のドリルダウンビューを表示することを含む追加のコンテンツを表示する、
システム。
【請求項９】
前記概観モードの間に前記サムネイルビューの表示の近くに文書マップを表示することをさらに含み、前記文書マップを表示することが、前記コンテンツにおける異なる複数の部分を表す選択可能なインジケータを表示することを含み、前記インジケータが選択されると前記サムネイルの前記表示が更新される、請求項８に記載のシステム。